【手続補正書】
【提出日】平成18年2月6日(2006.2.6)
【手続補正１】
【補正対象書類名】特許請求の範囲
【補正対象項目名】全文
【補正方法】変更
【補正の内容】
【特許請求の範囲】
【請求項１】
光源手段と、該光源手段から出射した光束を副走査断面内において偏向手段の偏向面に対して所定の角度で入射させる入射光学系と、該偏向手段で偏向された光束を被走査面上に導光する１以上の結像光学素子を含む結像光学系と、を有する光走査装置であって、
該結像光学系を構成する１以上の結像光学素子は、同一の副走査断面内において、複数の領域に異なった主走査方向の屈折力を有する面を有し、このうち１つの主走査方向の屈折力を有する領域を該入射光学系からの光束が通過し、他の主走査方向の屈折力を有する領域には該偏向面で偏向された光束が入射することを特徴とする光走査装置。
【請求項２】
前記１以上の光学素子の前記入射光学系からの光束が通過する位置における主走査方向の屈折力はゼロもしくは略ゼロであることを特徴とする請求項１記載の光走査装置。
【請求項３】
前記１以上の結像光学素子の前記入射光学系からの光束が入射する面又は出射する面、あるいは双方は平面であり、該平面の光束が通過する位置に回折格子が施されていることを特徴とする請求項１記載の光走査装置。
【請求項４】
前記１以上の結像光学素子は、同一の副走査断面内において前記入射光学系からの光束が通過する第１の領域と、それとは別の該偏向面で偏向された光束が入射する第２の領域とを有し、前記２つの領域の主走査断面内の屈折力は互いに異なっていることを特徴とする請求項１記載の光走査装置
【請求項５】
前記同一の副走査断面内において前記入射光学系からの光束が通過する第１の領域の屈折力はゼロもしくは略ゼロであり、前記別の該偏向面で偏向された光束が入射する第２の領域における主走査断面内の屈折力は、前記結像光学系を構成する他の結像光学素子の屈折力と合成され、ｆθ特性を有するように設定されていることを特徴とする請求項４記載の光走査装置
【請求項６】
前記１以上の結像光学素子の前記入射光学系からの光束が入射する面又は出射面、あるいは双方の面が平面であることを特徴とする請求項１記載の光走査装置。
【請求項７】
光源手段と、該光源手段から出射した光束を副走査断面内において偏向手段の偏向面に対して所定の角度で入射させる入射光学系と、該偏向手段で偏向された光束を被走査面上に導光する１以上の結像光学素子を含む結像光学系と、を有する光走査装置であって、
該結像光学系を構成する１以上の結像光学素子は、同一の副走査断面内において、該入射光学系からの光束が前記結像光学素子の切り欠かれた第３の領域を通過するよう構成され、且つ、該偏向面で偏向された光束が通過する第４の領域を有していることを特徴とする光走査装置。
【請求項８】
光源手段と、該光源手段から出射した光束を副走査断面内において偏向手段の偏向面に対して所定の角度で入射させる入射光学系と、該偏向手段で偏向された光束を被走査面上に導光する１以上の結像光学素子を含む結像光学系と、を有する光走査装置であって、
該結像光学系を構成する１以上の結像光学素子は、該偏向面で偏向された光束を被走査面上に導くために使用される有効領域外に、該入射光学系からの光束を該偏向面へ導くための反射部と、該偏向面で偏向された光束が通過する面を有していることを特徴とする光走査装置。
【請求項９】
前記反射部は金属蒸着を施した反射面であることを特徴とする請求項８記載の光走査装置。
【請求項１０】
前記反射部は誘電体蒸着膜で構成された反射面であることを特徴とする請求項８記載の光走査装置。
【請求項１１】
光源手段と、該光源手段から出射した光束を副走査断面内において偏向手段の偏向面に対して所定の角度で入射させる入射光学系と、該偏向手段で偏向された光束を被走査面上に導光する１以上の結像光学素子を含む結像光学系と、を有する光走査装置であって、
該結像光学系を構成する１以上の結像光学素子は、該偏向面で偏向された光束を被走査面上に導くために使用される有効領域の一部、もしくは該有効領域外の一部に、該入射光学系からの光束を該偏向面へ導くための副走査断面内に屈折力を有する面と、該偏向面で偏向された光束が通過する面を有していることを特徴とする光走査装置。
【請求項１２】
請求項１乃至１１の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１３】
請求項１乃至１１の何れか１項に記載の光走査装置と、外部機器から入力したコードデータを画像信号に変換して前記光走査装置に入力せしめるプリンタコントローラとを有していることを特徴とする画像形成装置。
【請求項１４】
各々が請求項１乃至１１の何れか１項に記載の光走査装置の被走査面に配置され、互いに異なった色の画像を形成する複数の像担持体とを有することを特徴とするカラー画像形成装置。
【請求項１５】
外部機器から入力した色信号を異なった色の画像データに変換して各々の光走査装置に入力せしめるプリンタコントローラを有していることを特徴とする請求項１４記載のカラー画像形成装置。
【手続補正２】
【補正対象書類名】明細書
【補正対象項目名】００１２
【補正方法】変更
【補正の内容】
【００１２】
請求項１の発明の光走査装置は、光源手段と、該光源手段から出射した光束を副走査断面内において偏向手段の偏向面に対して所定の角度で入射させる入射光学系と、該偏向手段で偏向された光束を被走査面上に導光する１以上の結像光学素子を含む結像光学系と、を有する光走査装置であって、
該結像光学系を構成する１以上の結像光学素子は、同一の副走査断面内において、複数の領域に異なった主走査方向の屈折力を有する面を有し、このうち１つの主走査方向の屈折力を有する領域を該入射光学系からの光束が通過し、他の主走査方向の屈折力を有する領域には該偏向面で偏向された光束が入射することを特徴としている。
【手続補正３】
【補正対象書類名】明細書
【補正対象項目名】００１３
【補正方法】変更
【補正の内容】
【００１３】
請求項２の発明は、請求項１の発明において、前記１以上の光学素子の前記入射光学系からの光束が通過する位置における主走査方向の屈折力はゼロもしくは略ゼロであることを特徴としている。
【手続補正４】
【補正対象書類名】明細書
【補正対象項目名】００１４
【補正方法】変更
【補正の内容】
【００１４】
請求項３の発明は、請求項１の発明において、前記１以上の結像光学素子の前記入射光学系からの光束が入射する面又は出射する面、あるいは双方は平面であり、該平面の光束が通過する位置に回折格子が施されていることを特徴としている。
【手続補正５】
【補正対象書類名】明細書
【補正対象項目名】００１５
【補正方法】変更
【補正の内容】
【００１５】
請求項４の発明は、請求項１の発明において、前記１以上の結像光学素子は、同一の副走査断面内において前記入射光学系からの光束が通過する第１の領域と、それとは別の該偏向面で偏向された光束が入射する第２の領域とを有し、前記２つの領域の主走査断面内の屈折力は互いに異なっていることを特徴としている。
【手続補正６】
【補正対象書類名】明細書
【補正対象項目名】００１６
【補正方法】変更
【補正の内容】
【００１６】
請求項５の発明は、請求項４の発明において、前記同一の副走査断面内において前記入射光学系からの光束が通過する第１の領域の屈折力はゼロもしくは略ゼロであり、前記別の該偏向面で偏向された光束が入射する第２の領域における主走査断面内の屈折力は、前記結像光学系を構成する他の結像光学素子の屈折力と合成され、ｆθ特性を有するように設定されていることを特徴としている。
【手続補正７】
【補正対象書類名】明細書
【補正対象項目名】００１７
【補正方法】変更
【補正の内容】
【００１７】
請求項６の発明は、請求項１の発明において、前記１以上の結像光学素子の前記入射光学系からの光束が入射する面又は出射面、あるいは双方の面が平面であることを特徴としている。
【手続補正８】
【補正対象書類名】明細書
【補正対象項目名】００１８
【補正方法】変更
【補正の内容】
【００１８】
請求項７の発明の光走査装置は、光源手段と、該光源手段から出射した光束を副走査断面内において偏向手段の偏向面に対して所定の角度で入射させる入射光学系と、該偏向手段で偏向された光束を被走査面上に導光する１以上の結像光学素子を含む結像光学系と、を有する光走査装置であって、
該結像光学系を構成する１以上の結像光学素子は、同一の副走査断面内において、該入射光学系からの光束が前記結像光学素子の切り欠かれた第３の領域を通過するよう構成され、且つ、該偏向面で偏向された光束が通過する第４の領域を有していることを特徴としている。
【手続補正９】
【補正対象書類名】明細書
【補正対象項目名】００１９
【補正方法】変更
【補正の内容】
【００１９】
請求項８の発明の光走査装置は、光源手段と、該光源手段から出射した光束を副走査断面内において偏向手段の偏向面に対して所定の角度で入射させる入射光学系と、該偏向手段で偏向された光束を被走査面上に導光する１以上の結像光学素子を含む結像光学系と、を有する光走査装置であって、
該結像光学系を構成する１以上の結像光学素子は、該偏向面で偏向された光束を被走査面上に導くために使用される有効領域外に、該入射光学系からの光束を該偏向面へ導くための反射部と、該偏向面で偏向された光束が通過する面を有していることを特徴としている。
【手続補正１０】
【補正対象書類名】明細書
【補正対象項目名】００２０
【補正方法】変更
【補正の内容】
【００２０】
請求項９の発明は、請求項８の発明において、前記反射部は金属蒸着を施した反射面であることを特徴としている。
【手続補正１１】
【補正対象書類名】明細書
【補正対象項目名】００２１
【補正方法】変更
【補正の内容】
【００２１】
請求項１０の発明は、請求項８の発明において、前記反射部は誘電体蒸着膜で構成された反射面であることを特徴としている。
【手続補正１２】
【補正対象書類名】明細書
【補正対象項目名】００２２
【補正方法】変更
【補正の内容】
【００２２】
請求項１１の発明の光走査装置は、光源手段と、該光源手段から出射した光束を副走査断面内において偏向手段の偏向面に対して所定の角度で入射させる入射光学系と、該偏向手段で偏向された光束を被走査面上に導光する１以上の結像光学素子を含む結像光学系と、を有する光走査装置であって、
該結像光学系を構成する１以上の結像光学素子は、該偏向面で偏向された光束を被走査面上に導くために使用される有効領域の一部、もしくは該有効領域外の一部に、該入射光学系からの光束を該偏向面へ導くための副走査断面内に屈折力を有する面と、該偏向面で偏向された光束が通過する面を有していることを特徴としている。
【手続補正１３】
【補正対象書類名】明細書
【補正対象項目名】００２３
【補正方法】変更
【補正の内容】
【００２３】
請求項１２の発明の画像形成装置は、請求項１乃至１１の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正１４】
【補正対象書類名】明細書
【補正対象項目名】００２４
【補正方法】変更
【補正の内容】
【００２４】
請求項１３の発明の画像形成装置は、請求項１乃至１１の何れか１項に記載の光走査装置と、外部機器から入力したコードデータを画像信号に変換して前記光走査装置に入力せしめるプリンタコントローラとを有していることを特徴としている。
【手続補正１５】
【補正対象書類名】明細書
【補正対象項目名】００２５
【補正方法】変更
【補正の内容】
【００２５】
請求項１４の発明のカラー画像形成装置は、各々が請求項１乃至１１の何れか１項に記載の光走査装置の被走査面に配置され、互いに異なった色の画像を形成する複数の像担持体とを有することを特徴としている。
【手続補正１６】
【補正対象書類名】明細書
【補正対象項目名】００２６
【補正方法】変更
【補正の内容】
【００２６】
請求項１５の発明は、請求項１４の発明において、外部機器から入力した色信号を異なった色の画像データに変換して各々の光走査装置に入力せしめるプリンタコントローラを有していることを特徴としている。